(57)【要約】【課題】動作を確認するための動作確認モードから通常の動作を行う通常モードに自動的に復帰可能なガラス破壊センサを提供する。【解決手段】ガラス板の振動を電気信号に変換する圧電素子１と、圧電素子１の出力に応じて破壊検出信号を出力する判定手段２とを備える。また、圧電素子１の出力がガラス板が破壊される時の振動に相当するときに判定手段２が破壊検出信号を出力する通常モードと、圧電素子１の出力がガラス板が破壊されない振動に相当するときに判定手段２が破壊検出信号を出力する動作確認モードとを択一的に切り換える切換手段を備える。さらに、動作確認モードに切り換えられてから経過した時間を計測するとともに予め設定された復帰時間が経過した後に判定手段２の動作を前記通常モードに復帰させる計時復帰回路７を備える。【選択図】        図１
2004227106.tif 000002
【特許請求の範囲】
【請求項１】
建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられてから経過した時間を計測するとともに予め設定された復帰時間が経過した後に前記判定手段の動作を前記通常モードに復帰させる計時復帰手段とを備えることを特徴とするガラス破壊センサ。
【請求項２】
建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられている間に前記検出手段の出力と予め定められた復帰閾値とを比較し、前記検出手段の出力が復帰閾値よりも大きくなった回数を計数するとともに、前記動作確認モードに切り換えられてから前記検出手段の出力が復帰閾値よりも大きくなった回数が予め定められた復帰回数に達したときに前記判定手段の動作を前記通常モードに復帰させる計数復帰手段とを備えることを特徴とするガラス破壊センサ。
【請求項３】
前記判定手段は、前記通常モードにおいては前記ガラス板が破壊されるときの固有周波数の成分を通過させるとともに前記動作確認モードにおいては前記ガラス板が破壊されないときの振動の周波数の成分を通過させるフィルタ手段と、予め設定された破壊検出閾値よりも前記フィルタ手段の出力が大きければ破壊検出信号を出力する比較手段とを備えることを特徴とする請求項１又は請求項２記載のガラス破壊センサ。
【請求項４】
前記フィルタ手段は、ＬＣハイパスフィルタからなり、前記動作確認モードにおいて前記フィルタ手段のキャパシタンスを前記通常モードに比べて大きくするキャパシタンス変更手段を備えることを特徴とする請求項３記載のガラス破壊センサ。
【請求項５】
前記フィルタ手段は、ＬＣハイパスフィルタからなり、前記動作確認モードにおいて前記フィルタ手段のインダクタンスを前記通常モードに比べて大きくするインダクタンス変更手段を備えることを特徴とする請求項３記載のガラス破壊センサ。
【請求項６】
前記判定手段は、前記検出手段の出力のうち前記ガラス板が破壊されるときの固有周波数の成分を通過させるフィルタ手段と、予め設定された破壊検出閾値よりも前記フィルタ手段の出力が大きければ破壊検出信号を出力する比較手段と、前記動作確認モードにおいて前記破壊検出閾値を前記通常モードに比べて低くする閾値変更手段とを備えることを特徴とする請求項１又は請求項２記載のガラス破壊センサ。
【請求項７】
前記判定手段は、前記検出手段の出力のうち前記ガラス板が破壊されるときの固有周波数の成分を通過させるフィルタ手段と、予め設定された破壊検出閾値よりも入力が大きければ破壊検出信号を出力する比較手段とを備え、前記通常モードにおいては前記フィルタ手段の出力が前記比較手段に入力され、前記動作確認モードにおいては前記検出手段の出力が前記フィルタ手段を通さずに前記比較手段に入力されることを特徴とする請求項１又は請求項２記載のガラス破壊センサ。
【発明の詳細な説明】
【０００１】
【発明の属する技術分野】
本発明は、建物において室内外を仕切るガラス板に取りつけられガラス板の破壊を検出するガラス破壊センサに関するものである。
【０００２】
【従来の技術】
従来から、建物において室内外を仕切るガラス戸などのガラス板に取りつけられ、ガラス板の破壊を検出する防犯用のガラス破壊センサが提供されている（例えば、特許文献１参照）。この種のガラス破壊センサは、図８に示すように、ガラス板の振動を検出する圧電素子１と、圧電素子１の出力に応じて破壊検出信号を出力する判定手段２と、電源をオンオフする電源スイッチ３とを備える。破壊検出信号は、例えば警報駆動回路４が音や光などで警報を発生する警報部５を駆動するトリガとして用いられる。
【０００３】
判定手段２は、圧電素子１の出力のうちガラス板が破壊されるときにピークが発生する周波数である固有周波数の成分を通過させるフィルタ回路２１と、フィルタ回路２１の出力と予め設定された破壊検出閾値Ｖｔｈとを比較するとともにフィルタ回路２１の出力が破壊検出閾値Ｖｔｈよりも大きければ破壊検出信号を出力する比較回路２２とを備える。
【０００４】
ここで、例えばガラス戸を開閉する際の振動のような、ガラス板が破壊されない単なる振動による誤動作を防ぐため、圧電素子１の出力のうち、ガラス板が破壊されない振動でピークが発生する周波数の成分はフィルタ回路２１に阻止されるようになっている。このため、単にガラス板を振動させてガラス破壊センサの動作を確認することが難しかった。そこで、圧電素子１の出力がガラス板が破壊される時の振動に相当するときに判定手段２が破壊検出信号を出力する通常モードと、圧電素子１の出力がガラス板が破壊されない振動に相当するときに判定手段２が破壊検出信号を出力する動作確認モードとを択一的に切り換える切換手段（図示せず）を備えたガラス破壊センサが提案されている。このガラス破壊センサにおいては、切換手段を動作確認モードに切り換えてガラス板を振動させることにより、ガラス板を破壊することなく動作を確認することができる。
【０００５】
【特許文献１】
特開２０００−４６２６８号公報（第３−５頁、第５図）
【０００６】
【発明が解決しようとする課題】
しかし、切換手段は一般的に目立たない位置に設けられるから、使用者が動作確認モードに切り換えて動作を確認した後、通常モードに戻すのを忘れてしまうことがあった。また、電源スイッチ３と共通のスイッチが切換手段として用いられることもあり、この場合には、使用者が電源を投入する際に通常モードとすべきところを誤って動作確認モードとしてしまうことがあった。そして、動作確認モードのままで放置されると、ガラス板が破壊されない振動による誤動作が頻発していた。
【０００７】
本発明は上記事由に鑑みてなされたものであり、その目的は、動作を確認するための動作確認モードから通常の動作を行う通常モードに自動的に復帰可能なガラス破壊センサを提供することにある。
【０００８】
【課題を解決するための手段】
請求項１の発明は、建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられてから経過した時間を計測するとともに予め設定された復帰時間が経過した後に前記判定手段の動作を前記通常モードに復帰させる計時復帰手段とを備えることを特徴とする。
【０００９】
請求項２の発明は、建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられている間に前記検出手段の出力と予め定められた復帰閾値とを比較し、前記検出手段の出力が復帰閾値よりも大きくなった回数を計数するとともに、前記動作確認モードに切り換えられてから前記検出手段の出力が復帰閾値よりも大きくなった回数が予め定められた復帰回数に達したときに前記判定手段の動作を前記通常モードに復帰させる計数復帰手段とを備えることを特徴とする。
【００１０】
請求項３の発明は、請求項１又は請求項２の発明において、前記判定手段は、前記通常モードにおいては前記ガラス板が破壊されるときの固有周波数の成分を通過させるとともに前記動作確認モードにおいては前記ガラス板が破壊されないときの振動の周波数の成分を通過させるフィルタ手段と、予め設定された破壊検出閾値よりも前記フィルタ手段の出力が大きければ破壊検出信号を出力する比較手段とを備えることを特徴とする。
【００１１】
請求項４の発明は、請求項３の発明において、前記フィルタ手段は、ＬＣハイパスフィルタからなり、前記動作確認モードにおいて前記フィルタ手段のキャパシタンスを前記通常モードに比べて大きくするキャパシタンス変更手段を備えることを特徴とする。
【００１２】
請求項５の発明は、請求項３の発明において、前記フィルタ手段は、ＬＣハイパスフィルタからなり、前記動作確認モードにおいて前記フィルタ手段のインダクタンスを前記通常モードに比べて大きくするインダクタンス変更手段を備えることを特徴とする。
【００１３】
請求項６の発明は、請求項１又は請求項２の発明において、前記判定手段は、前記検出手段の出力のうち前記ガラス板が破壊されるときの固有周波数の成分を通過させるフィルタ手段と、予め設定された破壊検出閾値よりも前記フィルタ手段の出力が大きければ破壊検出信号を出力する比較手段と、前記動作確認モードにおいて前記破壊検出閾値を前記通常モードに比べて低くする閾値変更手段とを備えることを特徴とする。
【００１４】
請求項７の発明は、請求項１又は請求項２の発明において、前記判定手段は、前記検出手段の出力のうち前記ガラス板が破壊されるときの固有周波数の成分を通過させるフィルタ手段と、予め設定された破壊検出閾値よりも入力が大きければ破壊検出信号を出力する比較手段とを備え、前記通常モードにおいては前記フィルタ手段の出力が前記比較手段に入力され、前記動作確認モードにおいては前記検出手段の出力が前記フィルタ手段を通さずに前記比較手段に入力されることを特徴とする。
【００１５】
【発明の実施の形態】
以下、本発明の実施の形態を図面に基づいて説明する。
【００１６】
（実施形態１）
本実施形態は、図１に示すように、ガラス板の振動を電気信号に変換する検出手段としての圧電素子１と、圧電素子１の出力に応じて破壊検出信号を出力する判定手段２とを備える。また、ガラス板の破壊を報知するための音や光を発生する警報部５と、破壊検出信号をトリガとして警報部５を駆動する警報駆動回路４とを備える。
【００１７】
判定手段２の動作には、圧電素子１の出力がガラス板が破壊される時の振動に相当するときに破壊検出信号を出力する通常モードと、圧電素子１の出力がガラス板が破壊されない振動に相当するときに破壊検出信号を出力する動作確認モードとの２種類がある。そして、使用者の操作によって判定手段２の動作を択一的に選択するための選択部６と、選択部６の状態を判別するとともに選択部６の状態に応じた出力を発生する状態判別回路９と、状態判別回路９の出力に応じて判定手段２の動作を切り換える計時復帰回路７とが設けられている。つまり、選択部６と計時復帰回路７と状態判別回路９とが切換手段として機能する。また、計時復帰回路７は、選択部６が動作確認モードに切り換えられてから経過した時間を計測するとともに予め設定された復帰時間が経過した後に判定手段２の動作を通常モードに復帰させる計時復帰手段としても動作する。
【００１８】
判定手段２は、通常モードにおいてはガラス板が破壊されるときの固有周波数の成分を通過させるとともに動作確認モードにおいてはガラス板が破壊されないときの振動の周波数の成分を通過させるフィルタ手段としてのフィルタ回路２１と、予め設定された破壊検出閾値Ｖｔｈよりもフィルタ回路２１の出力が大きければ破壊検出信号を出力する比較手段としての比較回路２２とを備える。
【００１９】
フィルタ回路２１は例えば図２に示すように圧電素子１に直列に接続されたコンデンサＣ及び圧電素子１とコンデンサＣとの直列回路に並列に接続されたインダクタＬとを有するＬＣハイパスフィルタである。また、第２のコンデンサＣ０とスイッチＳＷ１との直列回路がコンデンサＣに並列に接続されている。スイッチＳＷ１は通常モードではオフ状態となり動作確認モードにおいてはオン状態となるように計時復帰回路７によってオンオフ制御される。通常モードにおいては、コンデンサＣ０は接続されないから、フィルタ回路２１のカットオフ周波数ｆは次式１で表される。
【００２０】
【数１】
2004227106.tif 000003
【００２１】
一方、動作確認モードにおいては、第２のコンデンサＣ０がコンデンサＣに並列に接続されることによりフィルタ回路２１のキャパシタンスは増大する。つまり、第２のコンデンサＣ０とスイッチＳＷ１とがキャパシタンス変更手段として機能する。動作確認モードにおけるフィルタ回路２１のカットオフ周波数ｆ’は次式２で表される。
【００２２】
【数２】
2004227106.tif 000004
【００２３】
ここで、ガラス板が破壊されるときの圧電素子１の出力は例えば図３の曲線Ａで示すようになり、ピークを数百ｋＨｚの周波数に有する。また、ガラス板が破壊されないときの圧電素子１の出力は図３の曲線Ｂで示すようになり、ガラス板が破壊されるときよりも低い周波数にピークを有する。
【００２４】
つまり、第２のコンデンサＣ０のキャパシタンスを適当に選ぶことにより、動作確認モードにおけるフィルタ回路２１のカットオフ周波数ｆ’を低くして、圧電素子１の出力のうちガラス板が破壊されない振動の周波数の成分をフィルタ回路２１が通過させるようにすることができる。
【００２５】
上記構成によれば、使用者が動作確認モードに切り換えて動作を確認した後、通常モードに戻すのを忘れてしまっても、復帰時間が経過した後に自動的に通常モードに復帰するから、その後の誤動作の発生を防ぐことができる。
【００２６】
なお、第２のコンデンサＣ０とスイッチＳＷ１との直列回路を設ける代わりに、図４に示すようにスイッチＳＷ２と第２のインダクタＬ０との並列回路をインダクタＬに直列に接続してもよい。スイッチＳＷ２は通常モードにおいてはオン状態となり、動作確認モードにおいてはオフ状態となるように計時復帰回路７によってオンオフ制御される。つまり、動作確認モードにおいては通常モードよりもフィルタ回路２１のインダクタンスが増大する。言い換えると、スイッチＳＷ２と第２のインダクタＬ０との並列回路がインダクタンス変更手段として機能する。この構成によれば、フィルタ回路２１の動作確認モードにおけるカットオフ周波数ｆ’は次式３のように表される。
【００２７】
【数３】
2004227106.tif 000005
【００２８】
第２のインダクタＬ０のインダクタンスを適当に選ぶことにより、先に述べたキャパシタンス変更手段と同様に、動作確認モードにおけるフィルタ回路２１のカットオフ周波数ｆ’を低くして、圧電素子１の出力のうちガラス板が破壊されない振動の周波数の成分がフィルタ回路２１を通過可能とすることができる。
【００２９】
（実施形態２）
本実施形態の基本的な構成は実施形態１と同様であるので、共通する部分については同じ符号を付して説明を省略し、異なる部分についてのみ詳細に説明する。本実施形態においては、フィルタ回路２１は圧電素子１の出力のうちガラス板が破壊されるときの固有周波数の成分を通過させるものである。また、図５に示すように、通常モードにおいてはオフ状態となり動作確認モードにおいてはオン状態となるように計時復帰回路７によってオンオフ制御されるスイッチＳＷ３と、スイッチＳＷ３がオン状態であるときにフィルタ回路２１の出力に一定値Ｖｂを加える直流電源Ｅとを備える。その他の構成は実施形態１と同様である。
【００３０】
フィルタ回路２１の出力に一定値Ｖｂを加えるということは、相対的に破壊検出閾値ＶｔｈをＶｂだげ減少させるのと同じことになる。つまり、スイッチＳＷ３と直流電源Ｅとが閾値変更手段として機能する。ここで、ガラス板が破壊されるときの固有周波数の成分は、ガラス板が破壊されない振動には少ないから、通常モードにおける破壊検出閾値Ｖｔｈはガラス板が破壊されない振動で比較回路２２が破壊検出信号を出力しないように設定されている。しかし、上記構成によれば、一定値Ｖｂの値を十分に大きくとれば、動作確認モードにおいてはガラス板が破壊されない振動でも比較回路２２が破壊検出信号を出力するようにすることができる。
【００３１】
なお、閾値変更手段は破壊検出閾値を上記のように相対的に変化させる回路に限られず、破壊検出閾値の絶対値を変更する回路としてもよい。例えば、比較回路２２はフィルタ回路２１の出力と破壊検出閾値としての参照電圧とを比較するコンパレータとし、通常モードにおける破壊検出閾値となる第１の電圧を分圧して第２の電圧を生成する分圧抵抗と、通常モードにおいては第１の電圧を参照電圧として比較回路２２に入力し動作確認モードにおいては第２の電圧を参照電圧として比較回路２２に入力するように計時復帰回路７によって切り換え制御される切り換えスイッチとを設ければよい。
【００３２】
または、閾値変更手段を用いる代わりに、図６に示すように、インダクタＬに直列に接続され通常モードにおいてはオン状態となり動作確認モードにおいてはオフ状態となるように計時復帰回路７によってオンオフ制御されるスイッチＳＷ４を設けてもよい。動作確認モードにおいてはスイッチＳＷ４によってインダクタＬが切り離され、圧電素子１の出力がフィルタ回路２１を通さずにそのまま比較回路２２に入力されるのと同じことになる。この構成を採用すれば、動作確認モードでガラス板が破壊されない振動を受けた際の比較回路２２への入力が、通常モードでガラス板が破壊されたときと同様に大きくなるから、比較回路２２に破壊検出信号を出力させることができる。
【００３３】
（実施形態３）
本実施形態の基本的な構成は実施形態１と同様であるので、共通する部分については同じ符号を付して説明を省略し、異なる部分についてのみ詳細に説明する。本実施形態は、図７に示すように、計時復帰回路７に代えて、動作確認モードに切り換えられている間に圧電素子１の出力と予め定められた復帰閾値とを比較し、圧電素子１の出力が復帰閾値よりも大きくなった回数を計数するとともに、動作確認モードに切り換えられてから圧電素子１の出力が復帰閾値よりも大きくなった回数が予め定められた復帰回数に達したときに判定手段２の動作を通常モードに復帰させる計数復帰手段としての計数復帰回路８を備える。計数復帰回路８は、計時復帰回路７と同様に、選択部６及び状態判別回路９とともに切換手段としても機能する。その他の構成は実施形態１と同様である。
【００３４】
上記構成によれば、使用者が選択部６を動作確認モードに切り換えて動作を確認した後、通常モードに戻すのを忘れてしまっても、復帰閾値よりも大きな出力を圧電素子１が復帰回数だけ発生した後に自動的に通常モードに復帰するから、その後の誤動作の発生を防ぐことができる。
【００３５】
なお、復帰回数は１回であってもよく、この場合、計数復帰回路８は実際には圧電素子１の出力が復帰閾値よりも大きくなった回数を計数する必要はない。また、通常モードと動作確認モードとで判定手段２の動作を異ならせる構成は実施形態１及び実施形態２で述べたどの構成であってもよい。
【００３６】
【発明の効果】
請求項１の発明は、建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられてから経過した時間を計測するとともに予め設定された復帰時間が経過した後に前記判定手段の動作を前記通常モードに復帰させる計時復帰手段とを備えるので、使用者が動作確認モードに切り換えて動作を確認した後、通常モードに戻すのを忘れてしまっても、復帰時間が経過した後に自動的に通常モードに復帰するから、その後の誤動作の発生を防ぐことができる。
【００３７】
請求項２の発明は、建物において室内外を仕切るガラス板に取りつけられ、前記ガラス板の振動を電気信号に変換する検出手段と、前記検出手段の出力に応じて破壊検出信号を出力する判定手段とを備えるガラス破壊センサにおいて、前記検出手段の出力が前記ガラス板が破壊される時の振動に相当するときに前記判定手段が前記破壊検出信号を出力する通常モードと、前記検出手段の出力がガラス板が破壊されない振動に相当するときに前記判定手段が前記破壊検出信号を出力する動作確認モードとを択一的に切り換える切換手段と、前記動作確認モードに切り換えられている間に前記検出手段の出力と予め定められた復帰閾値とを比較し、前記検出手段の出力が復帰閾値よりも大きくなった回数を計数するとともに、前記動作確認モードに切り換えられてから前記検出手段の出力が復帰閾値よりも大きくなった回数が予め定められた復帰回数に達したときに前記判定手段の動作を前記通常モードに復帰させる計数復帰手段とを備えるので、使用者が動作確認モードに切り換えて動作を確認した後、通常モードに戻すのを忘れてしまっても、復帰閾値よりも大きな出力を検出手段が復帰回数だけ発生した後に自動的に通常モードに復帰するから、その後の誤動作の発生を防ぐことができる。
【００３８】
請求項３の発明は、請求項１又は請求項２の発明において、前記判定手段は、前記通常モードにおいては前記ガラス板が破壊されるときの固有周波数の成分を通過させるとともに前記動作確認モードにおいては前記ガラス板が破壊されないときの振動の周波数の成分を通過させるフィルタ手段と、予め設定された破壊検出閾値よりも前記フィルタ手段の出力が大きければ破壊検出信号を出力する比較手段とを備えるので、動作確認モードに切り換えてからガラス板が破壊されない振動を加えることによってガラスが破壊されたときと同様の動作をさせることができる。
【００３９】
請求項４の発明は、請求項３の発明において、前記フィルタ手段は、ＬＣハイパスフィルタからなり、前記動作確認モードにおいて前記フィルタ手段のキャパシタンスを前記通常モードに比べて大きくするキャパシタンス変更手段を備えるので、動作確認モードにおいて検出手段の出力のうちガラス板が破壊されない振動の周波数の成分がフィルタ手段を通過可能とすることができる。
【００４０】
請求項５の発明は、請求項３の発明において、前記フィルタ手段は、ＬＣハイパスフィルタからなり、前記動作確認モードにおいて前記フィルタ手段のインダクタンスを前記通常モードに比べて大きくするインダクタンス変更手段を備えるので、動作確認モードにおいて検出手段の出力のうちガラス板が破壊されない振動の周波数の成分がフィルタ手段を通過可能とすることができる。
【００４１】
請求項６の発明は、請求項１又は請求項２の発明において、前記判定手段は、前記検出手段の出力のうち前記ガラス板が破壊されるときの固有周波数の成分を通過させるフィルタ手段と、予め設定された破壊検出閾値よりも前記フィルタ手段の出力が大きければ破壊検出信号を出力する比較手段と、前記動作確認モードにおいて前記破壊検出閾値を前記通常モードに比べて低くする閾値変更手段とを備えるので、動作確認モードにおいては、ガラス板が破壊されない振動すなわち検出手段の出力のうち固有周波数の成分が少ない振動であっても、ガラスが破壊されたときと同様の動作をさせることができる。
【００４２】
請求項７の発明は、請求項１又は請求項２の発明において、前記判定手段は、前記検出手段の出力のうち前記ガラス板が破壊されるときの固有周波数の成分を通過させるフィルタ手段と、予め設定された破壊検出閾値よりも入力が大きければ破壊検出信号を出力する比較手段とを備え、前記通常モードにおいては前記フィルタ手段の出力が前記比較手段に入力され、前記動作確認モードにおいては前記検出手段の出力が前記フィルタ手段を通さずに前記比較手段に入力されるので、動作確認モードにおいては、ガラス板が破壊されない振動すなわち検出手段の出力のうち固有周波数の成分が少ない振動であっても、ガラスが破壊されたときと同様の動作をさせることができる。
【図面の簡単な説明】
【図１】本発明の実施形態１を示すブロック図である。
【図２】同上の要部を示す説明図である。
【図３】検出手段の出力の一例を示すグラフである。
【図４】本発明の実施形態１の別の形態の要部を示す説明図である。
【図５】本発明の実施形態２の要部を示す説明図である。
【図６】同上の別の形態の要部を示す説明図である。
【図７】本発明の実施形態３を示すブロック図である。
【図８】従来例を示すブロック図である。
【符号の説明】
１  圧電素子
２  判定手段
６  選択部
７  計時復帰回路
８  計数復帰回路
９  状態判別回路
２１  フィルタ回路
２２  比較回路
【図１】
2004227106.tif 000006
【図２】
2004227106.tif 000007
【図３】
2004227106.tif 000008
【図４】
2004227106.tif 000009
【図５】
2004227106.tif 000010
【図６】
2004227106.tif 000011
【図７】
2004227106.tif 000012
【図８】
2004227106.tif 000013